(57)【要約】【課題】台座が付いた割れる恐れのある物品を移動時でも割れないように固定材で固定でき、しかも緩衝作用も持たせて収納可能とし、資材を節約しつつ簡潔に製造可能な物品固定パネルおよび物品固定パネル付き包装容器を提供すること。【解決手段】透明プラスチックシートからなる一枚のブランクを組み立てて形成され、下部両側の側面連設固定パネルにより台座付きの物品を固定される。二つの下部側面連設固定パネル１８，１９はそれぞれ固定パネルと側面連設パネルとの境で内側に折り曲げられ、固定パネル１８ａ，１９ａにより物品の台座を上部から押さえ込み、側面蓋パネル１２，１３と差込みパネル１４，１５とにより蓋がされることで、台座付き物品を移動時でも割れないように固定して包装することができる。【選択図】図１
2018058637.tif 000002
【特許請求の範囲】
【請求項１】
底面パネルと、底面パネルに連設された側面連設パネルと、この側面連設パネルに連設された固定パネルとを有する物品固定部材であって、前記固定パネルは、前記物品を上から押さえて固定するための上部固定辺と、前記物品を両側方から押さえて固定するための一対の側部固定辺を有することを特徴とする物品固定部材。
【請求項２】
前記上部固定辺と前記一対の側部固定辺は、連続形成されていることを特徴とする請求項１に記載の物品固定部材。
【請求項３】
請求項１または２のいずれかの項記載の物品固定部材を有することを特徴とする容器。
【請求項４】
前記容器固定部材は、前記容器と一体もしくは別体に形成されていることを特徴とする請求項３に記載の容器。
【請求項５】
前記容器は、前記容器の一部を構成する側面パネルおよび上面パネルを有することを特徴とする請求項３または４のいずれかの項記載の容器。
【請求項６】
前記容器は、少なくとも一部が透光性で内部が視認できるように構成されていることを特徴とする請求項３ないし５のいずれかの項記載の容器。
【発明の詳細な説明】
【技術分野】
【０００１】  本発明は、台座が付いた割れる恐れのある物品を移動時でも割れないように固定および固定して包装できるようにした物品固定部材および物品固定部材付きの包装容器に関するものである。
【背景技術】
【０００２】  従来より、透明性が良好で剛性もあるポリエチレンテレフタレート（ＰＥＴ）などのプラスチックシートに折り曲げ罫線を設けてなる包装容器が造られている。被収納物はそのまま容器内に入れられるか、或いは付属の固定具に支持させた状態で付属の固定具ごと収納していた。
【先行技術文献】
【特許文献】
【０００３】
【特許文献１】  特開２００２−１０４３９４号  公報
【発明の概要】
【発明が解決しようとする課題】
【０００４】  しかし、被収納物を直接入れるのでは、容器内で被収納物ががたつき、割れる恐れのある物品では移動時に割れてしまい、付属の固定具を利用するのは、付属の固定具という別部材の製造、使用が必要で、コスト高となり、収納作業その他の取り扱いも煩雑になるなど、問題点が多々あった。本発明は、上記問題点に着眼しつつなしたものであり、資材を節約しつつ、簡潔に製造でき、固定パネルを使用することで被収納物を直に収納し容器内に被収納物を定置でき、しかも緩衝作用も持たせて収納可能とした容器を提供せんとするものである。
【課題を解決するための手段】
【０００５】  上記課題を解決するために、本発明は、プラスチックシートを折曲して形成してなる容器において、被収納物の輪郭部分に当接する側面連設固定パネルを両側に設け容器を構成したことを特徴とするものである。上記側面連設固定パネルは容器の対向面板部にそれぞれ形成するのが好ましい。容器は、折り曲げ罫線を介して各面パネルを連設した容器、例えば前背面パネル、左右側面蓋パネル、天底面パネルなどを連設した容器とするのが好ましく、側面連設固定パネルを上記折り曲げ罫線に沿って形成したものとするのが好ましい。容器の組立て固定は、形成した糊付け片と糊付け片が接合する面パネル端部に接着してなる構成とするのが好ましい。
【発明の効果】
【０００６】  本発明によれば、側面連設固定パネルを使用することで被収納物を直に収納し容器内に被収納物を定置して保持される。側面連設固定パネルにより被収納物を固定し移動時の破損を防ぐ効果が得られる。被収納物は、側面連設パネルと固定パネルの境で内側に折り曲げられた側面連設固定パネルによって支持され、内側への折り曲げの反発により緩衝効果が得られ、被収納物の保護に効果がある。これらの効果を発揮する容器が、資材を節約しつつ、簡潔に製造可能である。
【図面の簡単な説明】
【０００７】
【図１】本発明に係る物品固定パネル付き包装容器の一例を示す斜視図である。
【図２】図１の物品固定パネル付き包装容器を形成するブランクの平面図である。
【図３】図２ブランクをサック貼りした状態で示す平面図である。
【図４】サック貼りしたブランクを組み立てる様子を示す説明図である。
【図５】図１の物品固定パネル付き包装容器を使用状態で示す斜視図である。
【図６】第２実施例として八角柱の物品固定パネル付き包装容器を形成するブランクの平面図である。
【図７】図６ブランクをサック貼りして組み立てた物品固定パネル付き包装容器の斜視図である。
【図８】別体としての物品固定パネルの斜視図である。
【図９】図８の物品固定パネルを形成するブランクの平面図である。
【発明を実施するための形態】
【０００８】以下、図面を参照して本発明の実施の形態を説明する。
【０００９】  図１の物品固定パネル付き包装容器１０は、図２に示す一枚のブランクＢを組み立てて形成される。このブランクＢは、素材がポリエチレンテレフタレート（ＰＥＴ）からなる透明なプラスチックシートを打ち抜いたもので、図示のように、前面パネル１１の両側辺にそれぞれ折り曲げ罫線ｈ，ｇを介して側面蓋パネル１２，１３が連設され、一方の側面蓋パネル１２には折り曲げ罫線１を介して差込みパネル１５が連設され、他方の側面蓋パネル１３には折り曲げ罫線ｋを介して差込みパネル１４が連設されている。
【００１０】  前面パネル１１の上下辺にそれぞれ折り曲げ罫線ｂ，ｃを介して天面パネル２０と底面パネル１６が連設され、天面パネル２０の両側辺にそれぞれ折り曲げ罫線ｅ，ｆを介して折り曲げフラップ２１，２２が連設され、天面パネル２０の上辺には折り曲げ罫線ａを介して背面パネル２３が連設されている。
【００１１】  底面パネル１６の下辺には折り曲げ罫線ｄを介して糊付け片１７が連設され、底面パネル１６の両側辺にそれぞれ折り曲げ罫線ｊ，ｉを介して側面連設パネル１８ｂ，１９ｂが連設され、側面連設パネル１８ｂは折り曲げ罫線ｎを介して固定パネル１８ａが連設され、側面連設パネル１９ｂは折り曲げ罫線ｍを介して固定パネル１９ａが連設されている。
【００１２】  このブランクＢは、まず図３に示す如くサック貼りした状態とされる。すなわち、ブランクＢを折り曲げ罫線ｃ，ａのところで順次折り曲げ、背面パネル２３の側端に沿ったところに糊付け片１７を貼り合わせる。そして、このサック貼りされたブランクＢを組み立て、台座が付いた割れる恐れのある物品を入れた状態にする。
【００１３】  このサック貼りされた状態のブランクＢの組立手順は次のようである。まず、角筒状に起こした後、図４に示すように、２つの下部側面連設固定パネル１８，１９をそれぞれ内側へ折り曲げ、２つの側面連設固定パネルの側面連設パネル１８ｂ，１９ｂと固定パネル１８ａ，１９ａの境をそれぞれＶ字に折り曲げ、台座が付いた割れる恐れのある物品を入れるようにする。固定パネル１８ａ，１９ａにより、物品の台座を上部から押え込み、２つの上部折り曲げフラップ２１，２２を折り曲げ、側面蓋パネル１２，１３と差込みパネル１４，１５とにより蓋をする。これにより、図１に示すように、前面パネル１１と背面パネル２３と天面パネル２０と底面パネル１６からなる横型角筒状で、両側面下部に台座が付いた割れる恐れのある物品を固定する側面連設固定パネル１８，１９が付いた物品固定パネル付き包装容器１０が形成される。なお、図１では台座が付いた割れる恐れのある物品の図示を省略している。
【００１４】  台座が付いた割れる恐れのある物品を固定する側面連設固定パネル１８，１９が付いた物品固定パネル付き包装容器１０は、図５に示すように、物品の台座を両側から側面連設固定パネル１８，１９の固定パネル１８ａ，１９ａで上部から押さえ、側面蓋パネル１２，１３と差込みパネル１４，１５とにより蓋をすることで、側面連設パネル１８ｂ，１９ｂが外側に動かないようになり、物品の台座が固定されるのである。物品固定パネル付き包装容器１０の中から被収納物を取り出す時は、通常の箱と同じようにして差込みパネル１４，１５と側面蓋パネル１２，１３を引っ張ることで蓋を開けると側面連設固定パネル１８，１９から開放されるため、被収納物を引っ張り出せばよい。
【００１５】  図７の物品固定パネル付き包装容器３０は、図６に示す一枚のブランクＣを組み立てて形成される。このブランクＣは、素材がポリエチレンテレフタレート（ＰＥＴ）からなる透明なプラスチックシートを打ち抜いたもので、図示のように、側面パネル３９〜４６がそれぞれ折り曲げ罫線ｂ１〜ｂ７を介して連設され、側面パネル４６には折り曲げ罫線ｂ８を介して糊付け片４７が連設されている。
【００１６】  側面パネル４０の上下辺にそれぞれ折り曲げ罫線ａ１，ｄ１を介して天面パネル３１と底面パネル５４が連設され、天面パネル３１の周りにそれぞれ折り曲げ罫線ａ２〜ａ８を介して折込みパネル３２〜３８が連設されている。
【００１７】  底面パネル５４の周りにそれぞれ折り曲げ罫線ｄ２，ｄ４，ｄ５，ｄ６，ｄ８を介して折込みパネル５７，６１，６０，５９，５８が連設され、底面パネル５４の両側辺にそれぞれ折り曲げ罫線ｄ３，ｄ７を介して側面連設パネル５５ｂ，５６ｂが連設され、側面連設パネル５５ｂは折り曲げ罫線ｅ１を介して固定パネル５５ａが連設され、側面連設パネル５６ｂは折り曲げ罫線ｅ２を介して固定パネル５６ａが連設されている。
【００１８】  図８の物品固定パネル７０は、図９に示す一枚のブランクＤを組み立てて形成される。このブランクＤは、素材がポリエチレンテレフタレート（ＰＥＴ）からなる透明なプラスチックシートを打ち抜いたもので、図示のように、底面パネル７１の両側辺にそれぞれ折り曲げ罫線ｆ２，ｆ３を介して側面連設パネル７２ｂ，７３ｂが連設され、側面連設パネル７２ｂは折り曲げ罫線ｆ１を介して固定パネル７２ａが連設され、側面連設パネル７３ｂは折り曲げ罫線ｆ４を介して固定パネル７３ａが連設されている。
【００１９】  以上、本発明の実施の形態について詳細に説明してきたが、本発明による物品固定パネル付き包装容器１０は、上記実施の形態に何ら限定されるものではなく、上記では四角柱および八角柱の説明をしたが、例えば、柱状ではなく四角錐、六角錐の錐状でもよいし、錐状の上部が切り取られた錐台形状でもよい。以上のように本発明の趣旨を逸脱しない範囲において種々の変更が可能であることは当然のことである。
【００２０】  例えば、上記の例では、素材がＰＥＴからなるプラスチックシートの場合を例に挙げたが、塩化ビニル、ポリエチレン等、他の素材のプラスチックシートや段ボール、板紙等紙製シートを使用することもできる。ただ、リサイクル等の環境問題の観点からＰＥＴを用いることが好ましい。
【００２１】  また、被収納物の形状としては、台座付きドーム、台座付き容器など台座に準じて底部が広く上から押さえられる形状であればよく、物品固定パネル付き包装容器１０のサイズはそれらに合わせて設計すればよい。
【００２２】  また、被収納物の素材は、ガラス、陶器に限るものではなく、破損の恐れのある素材であれば特に限定はない。
【符号の説明】
【００２３】  Ｂ  ブランク
Ｇ  ガラスドーム（割れる恐れのある物品）
１０  物品固定パネル付き包装容器
１１  前面パネル
１２，１３  側面蓋パネル
１４，１５  差込みパネル
１６  底面パネル
１７  糊付け片
１８，１９  側面連設固定パネル
１８ａ，１９ａ  固定パネル
１８ｂ，１９ｂ  側面連設パネル
２０  天面パネル
２１，２２  折り曲げフラップ
２３  背面パネル
ａ〜ｎ  折り曲げ罫線
Ｃ  ブランク
３０  物品固定パネル付き包装容器
３１  天面パネル
３２〜３８  折込みパネル
３９〜４６  側面パネル
４７  糊付け片
４８〜５３  差込み部
５４  底面パネル
５５，５６  側面連設固定パネル
５５ａ，５６ａ  固定パネル
５５ｂ，５６ｂ  側面連設パネル
５７〜６１  折込みパネル
ａ１〜ａ８  折り曲げ罫線
ｂ１〜ｂ８  折り曲げ罫線
ｃ１〜ｃ６  折り曲げ罫線
ｄ１〜ｄ８  折り曲げ罫線
ｅ１，ｅ２  折り曲げ罫線
Ｄ  ブランク
７０  側面連設固定パネル
７１  底面パネル
７２ａ，７３ａ  固定パネル
７２ｂ，７３ｂ  側面連設パネル
ｆ１〜ｆ４  折り曲げ罫線
【図１】
2018058637.tif 000003
【図２】
2018058637.tif 000004
【図３】
2018058637.tif 000005
【図４】
2018058637.tif 000006
【図５】
2018058637.tif 000007
【図６】
2018058637.tif 000008
【図７】
2018058637.tif 000009
【図８】
2018058637.tif 000010
【図９】
2018058637.tif 000011